(57)【要約】【課題】雨水誘導板で破風上面を伝い流れる雨水を確実に屋根側に流し落とすことができるようにする。【解決手段】破風の上面に斜めに交差して固定される仕切り壁部と、仕切り壁部の上端から側方へ張り出した庇部とで破風上面に雨水誘導凹所を構成し、さらに前記仕切り壁部に連ねて、破風の屋根側の側面に接合する下側仕切り壁部を一体に設ける。破風上面を伝い流れる雨水は、仕切り壁部に当たって塞き止められ、雨水誘導凹所を伝い下側仕切り壁部に沿って屋根に面する破風側面側に流れ落ちる。【選択図】図１
2006348477.tif 000002
【特許請求の範囲】
【請求項１】
破風の上面に斜めに交差して固定される仕切り壁部と、仕切り壁部の上端から側方へ張り出した庇部とで破風上面に雨水誘導凹所を構成する破風用雨水誘導板。
【請求項２】
破風の上面に接合する仕切り壁部に連なって破風の屋根側の側面に接合する下側仕切り壁部を備えた請求項１に記載の破風用雨水誘導板。
【請求項３】
下側仕切り壁部の端部から破風の上面に接合する仕切り壁部が二股に分岐した構成を有する請求項２に記載の破風用雨水誘導板。
【発明の詳細な説明】
【技術分野】
【０００１】
本発明は、破風状化粧板の上面に取り付けられ、破風上面を伝い流れる雨水を屋根上や軒樋内に流し落とすための雨水誘導板に関する。
【背景技術】
【０００２】
家屋の切妻屋根廻りの造作において、妻側の側端部を装飾するため、鋼板を破風板状に折り曲げてなる化粧板（以下、破風という）を屋根の端に沿って取り付けることがある。この場合に、破風の上面を伝い流れる雨水が破風先端からそのまま軒下へ雨垂れとなって落ちると、地表面に窪みを作ったり水撥ねして壁面を汚したりすることがある。これを防ぐため、図５に示されるように、破風上面５１の軒側端部に板材を垂直に立ち上げてなる雨水誘導板５２を取り付け、破風上面５１を伝って流れ落ちる雨水を軒樋５３に流し落とすようにしていた（例えば特許文献１、２参照）。
【０００３】
【特許文献１】特開平７−２７９３２３号公報
【特許文献２】特開２０００−１８６４０２号公報
【発明の開示】
【発明が解決しようとする課題】
【０００４】
従来の雨水誘導板５２は、破風上面５１に板材を垂直に取り付けたものに過ぎないため、図６に示されるように、勾配が急な屋根にあっては、流れ落ちる雨水Ｒの勢いによって一旦雨水誘導板５２に当たった雨水が雨水誘導板５２を飛び越えて破風の先端から流れ落ち、また、勾配が緩やかな屋根においても、雨量が多いときには雨水Ｒが雨水誘導板５２を飛び越えて軒下に流れ落ちてしまっていた。この場合、雨水Ｒの飛び越えを防ぐために雨水誘導板５２を高く設けたのでは、軒下から屋根を見上げたときに破風の端部に取り付けた雨水誘導板５２がはっきりと目に付き、屋根周りの意匠性を低下させてしまう。
また、破風先端からの雨垂れを防止するには、雨水誘導板５２はできる限り軒側の端部近くに取り付ける必要がある。しかし、破風上面５１においてのみ雨水を塞き止めて誘導する前記従来のものでは、雨水誘導板５２に当たって方向が変えられた雨水が、図６中に破線矢印で示すように軒に向かって斜めに流れ落ちるため、雨水誘導板５２を取り付ける位置は破風の軒側端部から棟側に幾らか離れた位置にせざるを得なかった。
【０００５】
本発明は従来技術の有するこのような問題点に鑑み、雨水誘導板によって破風上面を伝い流れる雨水を確実に屋根側に流し落とすことができるようにすることを課題とする。
【課題を解決するための手段】
【０００６】
前記課題を解決するため本発明の雨水誘導板は、破風の上面に斜めに交差して固定される仕切り壁部と、仕切り壁部の上端から側方へ張り出した庇部を有し、両部で破風上面に雨水誘導凹所を構成することを特徴とする。
【０００７】
これによれば、破風上面を伝い流れる雨水は、仕切り壁部に当たって塞き止められ、雨水誘導凹所を伝って屋根に面する破風側面側へと誘導されて屋根上や軒樋内に流れ落ちる。仕切り壁部上端に庇部を突出させてあるので、勢いのある雨水が仕切り壁部に当たって上方へ撥ねたとしても、庇部下面に当たって下方へ撥ね返されるので、雨水が仕切り壁部を飛び越えることはなく、雨水誘導凹所に沿って破風の側方へ流し落とすことができる。庇部で雨水の飛び越えを防止できるので、仕切り壁部を高く設ける必要はなく、また、勾配が急な屋根に取り付けた場合でも、雨水を雨水誘導凹所に流入させて屋根側へ確実に流し落とすことができる。
【０００８】
前記構成において、破風の上面に接合する仕切り壁部に連ねて、破風の屋根側の側面に接合する下側仕切り壁部が設けてあれば、破風側面においても雨水を下側仕切り壁部に沿って誘導し、雨水誘導板の直下に流し落とすことができ、雨水誘導板を軒側端部近くに取り付けて破風先端からの雨垂れを少なくすることができる。
【０００９】
また、下側仕切り壁部の端部から破風の上面に接合する仕切り壁部が二股に分岐した構成に設ければ、破風上面に対して左側に屋根が面する態様と右側に屋根が面する態様の何れにも兼用して取り付けることが可能となり、それぞれの態様に適合するよう別々に雨水誘導板を形成する必要がなくなり、加工コスト、部材管理などの点で好ましい。
【００１０】
本発明の雨水誘導板は、合成樹脂材料を用いて一体成形することができ、また、他の耐蝕性を有する材料、或いは耐蝕加工が施された他の材料を用いて任意の加工手段により形成することが可能である。
【発明を実施するための最良の形態】
【００１１】
本発明の好適な一実施形態を図面を参照して説明する。
図１は本発明の一実施形態の雨水誘導板を取り付けた屋根の破風先端部分の外観図、図２は図１の雨水誘導板によって雨水が誘導される状態を示した図、図３は図１の雨水誘導板の表面側と裏面側の斜視図、図４は同じく平面図と図３中で示した部分の断面図である。
【００１２】
図１に示されるように、本発明の雨水誘導板１は、屋根２のケラバに破風３を取り付ける場合に、破風上面３ａを流れ落ちる雨水を屋根２上や軒樋４内に流し落とすため、破風上面３ａの軒側端部近くに取り付けられるものである。
【００１３】
雨水誘導板１は、図３及び図４に示されるように、破風上面３ａに接合する上側仕切り壁部１１と、上側仕切り壁部１１の端部に連なって直角に折れた、破風側面３ｂに接合する下側仕切り壁部１２を有するとともに、下側仕切り壁部１２の上端から上側仕切り壁部１１、１１を水平に約６０°の交差角度を以って二股に分岐させて形成してある。
より詳しくは、上側仕切り壁部１１は、１０ｍｍ程度の高さの仕切り壁であって破風上面３ａの左右端部間を斜めに交差して横切る長さを有し、その上端には適宜な幅、例えば５、６ｍｍ程度の幅で側方へ張り出していて縁部が若干下方へ折れた庇部１３を一体に設けてある。二股に分かれた上側仕切り壁部１１、１１の間には破風上面３ａに接合する取り付け面部１４が設けられ、その面内にブラインドリベット（図示せず）が挿通する通孔１４ａを設けてある
また、下側仕切り壁部１２は、上側仕切り壁部１１と同高さの仕切り壁であって上側仕切り壁部１１の略１／２程度の長さを有して上側仕切り壁部１１の端部から下方に突出して形成されており、その上端には左右に適宜な幅で張り出し且つ縁部が下方へ折れた壁部１５、１５を一体に設けてある。
そして、図２に示されるように、雨水誘導板１を破風３に取り付けた状態で、破風上面３ａにおいて当該面に接合した上側仕切り壁部１１とその側方に張り出した庇部１３とで雨水誘導凹所１６を構成し、また、破風側面３ｂにおいて当該面に接合した下側仕切り壁部１２と壁部１５とで雨水誘導凹路１７を構成し、破風上面３ａを伝い流れる雨水Ｒを雨水誘導凹所１６で塞き止めて凹所に沿って雨水誘導凹路１７内に流入させ、雨水誘導凹路１７の下端から屋根２上や軒樋４内へと誘導して流し落とすようになっている。
【００１４】
このように形成された雨水誘導板１は、下側仕切り壁部１２を屋根２側に向けて破風３の軒側端部近くの上面３ａに載せ、通孔１４ａに通したブラインドリベットにより破風上面３ａに留め付けて破風３に一体に取り付けられる。
破風３に取り付けられた雨水誘導板１は、上流側の上側仕切り壁部１１が下側仕切り壁部１２から斜め上向き延びて破風上面３ａと交差し、また、下流側の上側仕切り壁部１１が下側仕切り壁部１２から斜め下向きに延びて破風上面３ａと交差してそれぞれ固定され、上流側の上側仕切り壁部１１と庇部１３とで破風上面３ａを伝い流れる雨水Ｒを塞き止めて下側仕切り壁部１２側へと誘導する雨水誘導凹所１６を構成する。また、下側仕切り壁部１２もその両側の壁部１５、１５とともに破風側面３ｂにぴったりと接合して固定され、下側仕切り壁部１２と壁部１５との間で、雨水誘導凹所１６と連通した管状の雨水誘導凹路１７を構成する。なお、雨水誘導板１の取り付けは、破風３を屋根のケバラに沿って取り付ける前でも、取り付けた後に行っても何れでもよい。
【００１５】
図２に示されるように、降雨時に破風上面３ａを伝い流れる雨水Ｒは、雨水誘導凹所１６内に流入し、上側仕切り壁部１１に当たって塞き止められ、雨水誘導凹所１６に沿って下側仕切り壁部１２側へと誘導される。このとき、雨水に勢いがあったり雨量が多かったりして仕切り壁部１１に当たった雨水Ｒが上へ撥ねたとしても、庇部１３の下面に当たって下方へと撥ね返されるので、雨水Ｒが雨水誘導板１を飛び越えて軒側端部から流れ落ちることはない。
そして、雨水誘導凹所１６に沿って下側仕切り壁部１２側に誘導された雨水Ｒは、雨水誘導凹所１６から雨水誘導凹路１７内へと流入し、ここを通って、破風側面３ｂに面する屋根２上又は軒樋４内へと誘導されて流し落とされる。このとき、雨水Ｒが雨水誘導凹路１７を通ることにより雨水Ｒの流出方向が規制されるので、雨水Ｒを下側仕切り壁部１２の略真下に位置する屋根２の上や軒樋４内に確実に流し落とすことができる。
【００１６】
このように、破風上面３ａを伝い流れる雨水Ｒを、雨水誘導板１を飛び越えさせずに塞き止めて側方へと誘導し、屋根２の上や軒樋４内に確実に流し落とすことができるので、雨水誘導板１を高く設ける必要はなく、傾斜の急な屋根にも取り付けることができる。また、下側仕切り壁部１２に沿って雨水誘導板１の直下に雨水を流し落とすことができるので、雨水誘導板１の取り付け位置を軒側端部に近づけることができる。なお、破風３の屋根２が面する向きが図示のものとは逆の場合でも、前記と同様に下側仕切り壁部１２を屋根側に向けて図示した形態の雨水誘導板１を取り付けることが可能である。
【００１７】
図示した雨水誘導板１は、上側仕切り壁部１１の端部に下側仕切り壁部１２を一体に設けたが、上側仕切り壁部１１に庇部１３を一体に設けたのみの形態であっても上側仕切り壁部１１と庇部１３により構成される雨水誘導凹所１６に沿って雨水を破風３の側方へ確実に流し落とすことが可能である。また、下側仕切り壁部１２に連なる壁部１５は庇部１３と同様に縁部を僅かに下折れさせた形状に設けても雨水を確実に誘導することが可能である。さらに上側仕切り壁部１１を二股に分岐させて設けたが、分岐させなくてもよく、本発明は図示した形態に限定されず、他の適宜な形態に構成可能である。
【図面の簡単な説明】
【００１８】
【図１】本発明の一実施形態の雨水誘導板を取り付けた屋根の破風先端部分の外観図である。
【図２】図１の雨水誘導板によって雨水が誘導される状態を示した図である。
【図３】図１の雨水誘導板の表面側と裏面側の斜視図である。
【図４】（Ａ）、（Ｂ）及び（Ｃ）はそれぞれ図１の雨水誘導板の平面図、図３中の（Ｂ）−（Ｂ）断面図及び（Ｃ）−（Ｃ）断面図である。
【図５】従来の雨水誘導板を取り付けた屋根の破風先端部分の外観図である。
【図６】従来の雨水誘導板における雨水の飛び越え現象を示した図である。
【符号の説明】
【００１９】
１  雨水誘導板、１１  上側仕切り壁部、１２  下側仕切り壁部、１３  庇部、１４  取り付け面部、１５  壁部、１６  雨水誘導凹所、１７  雨水誘導凹路、２  屋根、３  破風、４  軒樋、Ｒ  雨水
【図１】
2006348477.tif 000003
【図２】
2006348477.tif 000004
【図３】
2006348477.tif 000005
【図４】
2006348477.tif 000006
【図５】
2006348477.tif 000007
【図６】
2006348477.tif 000008